(57)【要約】【課題】撮影対象物に関する正確な情報を、撮影された画像内でも明瞭に認識することのできる被写体情報表示部材を提供する。【解決手段】  撮影において被写体に関する情報を表示するために使用される撮影用の被写体情報表示部材であって、当該被写体情報表示部材における、被写体情報が表示された撮影面には、当該被写体情報の輪郭に沿って、これを取り囲む輪郭溝が形成されている被写体情報表示部材とする。特に、この輪郭溝は幅以上の深さを有するものとして形成するのが望ましい。【選択図】図１
2006227128.tif 000002
【特許請求の範囲】
【請求項１】
撮影に際して被写体に関する情報を表示するために使用される、撮影用の被写体情報表示部材であって、
当該被写体情報表示部材における、被写体情報が表示された撮影面には、当該被写体情報の輪郭に沿って、これを取り囲む輪郭溝が形成されていることを特徴とする被写体情報表示部材。
【請求項２】
前記輪郭溝は、幅以上の深さを有している、請求項１に記載の被写体情報表示部材。
【請求項３】
前記輪郭溝は、被写体情報側の側面、又はこれに対向する側面の少なくとも何れかの側面が黒色又はこれに近似する低明度の色を有する請求項１又は２に記載の被写体情報表示部材。
【請求項４】
前記被写体情報表示部材は、基材と、基材に表示された被写体情報とからなり、少なくとも当該基材は可撓性材料を用いて形成されている請求項１〜３の何れか一項に記載の被写体情報表示部材。
【請求項５】
前記被写体情報表示部材における撮影面には、更に模造品を防止するための識別部分が設けられている請求項１〜４の何れか一項に記載の被写体情報表示部材。
【請求項６】
前記被写体情報表示部材は、基材と基材に表示された被写体情報とからなり、少なくとも当該基材及び被写体情報の何れかは、その撮影面側がつや消し加工されている、請求項１〜５の何れか一項に記載の被写体情報表示部材。
【発明の詳細な説明】
【技術分野】
【０００１】
本発明は、撮影に際して被写体に関する情報を撮影画像内に表示するために使用される、撮影用の被写体情報表示部材に関するものである。より詳細には、撮影された画像においても、被写体に関する情報が明確に出現する被写体情報表示部材に関する。
【背景技術】
【０００２】
技術分野を問わず、部品や製品あるいは様々な物品，もしくは景観を写真撮影し、その映像を記録として使用乃至保管することが行われている。このような写真撮影による記録の使用や保管は、物品の品質管理目的や、物品の説明の為など、様々な目的で実施されており、多くの場合、その撮影された物品や景観に関する情報も一緒に写し込まれることになる。
【０００３】
かかる情報としては、例えば部品や製品、あるいはその他の物品に関するものであれば、対象物（被写体）の大きさを示すもの、物品の名称や価格などを示すものが使用され、また建築・土木工事現場や旅行などの記念撮影では、その日付や場所などを表示したものが使用されている。
【０００４】
この内、従前において対象物の大きさを示すために使用されているものとしては、タバコ等のように常識的に一定の大きさが観念される比較対照物や、文房具などに使用されている一般的な定規などが挙げられる。特に、文房具としての定規は、例えば特許文献１（特開平６−２６９９６４号公報）に示されるように金属を用いて形成されるか、或いは樹脂を用いて形成されており、その目盛りは印刷、或いは溝又は刻印として形成されているのが通常である。そして目盛りを溝又は刻印として形成した定規は、当該特許文献１に示されているように、目盛り自体が窪んで形成されている。
【０００５】
一方、建築・土木工事現場や記念撮影で使用されるものとしては、黒板や、印刷又は刻印を施した樹脂製のプレートが使用されている。例えば、建築・土木工事現場では、工事の進捗に合わせて作業状況を記録して、市役所、区役所等管轄官庁の審査確認の資料とする為、工事現場を撮影することが広く行われており、黒板には、工事名、撮影日、撮影箇所、施工者名、その他特記事項が明示されている。このような建築・土木工事現場で使用される黒板に関する先行文献として特許文献２（特開２００１−２８７４９７号公報）が存在するが、この文献に記載された黒板は、撮影された画像内における文字の視認性（明瞭製）については、何ら改良が施されていない。
【特許文献１】特開平６−２６９９６４号公報
【特許文献２】特開２００１−２８７４９７号公報
【発明の開示】
【発明が解決しようとする課題】
【０００６】
上記のように、従前においては、写真等の撮影に際して、その映像と共に各種の情報も写し込むことが頻繁に行われているが、その情報の正確性や明瞭性について未だ改良の余地を有するものとなっている。
【０００７】
即ち、対象物の大きさを示すために、一緒に映像内に写し込まれるタバコなどの対象物品では、正確な当該対象物の大きさを示すことができず、また文房具用途の定規や、建築・土木工事現場や記念撮影で使用される黒板・プレートでは、これらに記載された数字・文字などの情報は、撮影された画像内において、不鮮明になってしまい、結果として実質的な機能を担保できないか、何度も撮り直しが必要になってしまうこともある。このような記載情報の不鮮明さは、たとえ数字や文字などが刻印されていたとしても何ら変わることなく生じてしまう。特に、近年では、撮影に際してデジタルカメラが使用されており、このようなデジタル画像においては、一層、記載情報の不鮮明さが顕著になってしまう。
【０００８】
依って本発明は、上記課題を解決し、撮影対象物に関する正確な情報を、撮影された画像内でも明瞭に認識することのできる被写体情報表示部材を提供することを課題とする。
【課題を解決するための手段】
【０００９】
上記課題を解決するべく、本発明は、撮影に際して、被写体に関する情報を被写体と共に画像内に表示するために使用される撮影用の被写体情報表示部材であって、当該被写体情報表示部材における被写体情報が表示された撮影面には、当該被写体情報の輪郭に沿ってこれを取り囲む輪郭溝が形成されていることを特徴とする被写体情報表示部材を提供する。
【００１０】
かかる被写体情報表示部材は、それに表示される情報によって用途が変わり得るものであり、例えば大きさを示す情報が表示される場合にはスケールとして、角度を示す情報が表示される場合には分度器として、また日付、場所、価格、対象物の名称等に関する情報が表示される場合には、各種用途に使用されるプレートとして使用されることになる。
【００１１】
特に本発明にかかる被写体情報表示部材では、被写体情報の輪郭に沿ってこれを取り囲む輪郭溝が形成されていることから、例えデジタル画像とした場合であっても、文字、数字、その他の図形などで構成される被写体情報は、その画像内において明瞭に認識し得るものとなる。その理由は、断定的なものではないが、撮影に際して使用されるフラッシュなどの光が当該輪郭溝内において減じられ、その結果、当該被写体情報の輪郭が明瞭に現れることによるものと考えられる。
【００１２】
かかる輪郭溝は、幅以上の深さを有するものとして形成されることが望ましい。このような溝に形成することにより、被写体情報はより一層映像内に明瞭に現れるためである。
【００１３】
また前記輪郭溝は、被写体情報側の側面、又はこれに対向する側面の少なくとも何れかの側面が黒色又はこれに近似する低明度の色を有する事が望ましい。輪郭溝内における、撮影用フラッシュ光などの乱反射を抑え、被写体情報の明瞭性を向上させる為である。ここで、如何なる色が低明度であるかに就いては常識的に判断されるべきものであり、少なくとも光の反射率が70％を超えない色は、低明度の色と判断することが出来る。
【００１４】
更に、前記被写体情報表示部材は、基材と基材に表示された被写体情報とから成るものとして製造することができ、この場合において、少なくとも当該基材は、可撓性材料を用いて形成されている事が望ましい。基材を可撓性材料で製造することにより、曲面などに設置することもでき、また当該被写体情報表示部材を設置する際、その設置物に対して傷などの損傷を与える虞をなくすことができる。このような可撓性材料としては、天然ゴム、合成ゴム、或いは常温において可撓性を有する樹脂材料を用いて形成するころができる。
【００１５】
或る実施の形態においては、この基材の背面（撮影面の裏側）に磁性を付与して形成することもできる。このような被写体情報表示部材は、例えば、当該背面に磁石を設置する他、基材又は基材の背面側に磁性粉を混入することにより製造することができる。
【００１６】
更に本発明にかかる被写体情報表示部材では、その撮影面に、更に模造品を防止するための識別部分を設けることが望ましい。かかる識別部分（例えば識別記号、識別用構造など）が存在することにより、当該被写体情報表示部材によって示される情報が真正であることを証明することができる。かかる識別部分とは、一般に製造が困難なものとして形成されることが望ましく、例えばホログラムを用いて形成する他、被写体情報表示部材が金型を用いて形成される成形品である場合には、金型の製造自体が困難となるような複雑ないしは緻密な構造を有する部分として形成することができる。
【００１７】
そして本発明にかかる被写体情報表示部材は、望ましい実施の形態において、少なくとも被写体情報を保持する基材及び被写体情報の少なくとも何れかは、その撮影面側がつや消し加工されている。基材及び被写体情報の少なくとも何れかをつや消し加工することにより、当該撮影面における乱反射を防止し、撮影された映像内における被写体情報の明瞭性を向上させることができる為である。
【発明の効果】
【００１８】
本発明にかかる被写体情報表示部材は以上のように形成されていることから、被写体と共に写し込まれる情報は正確であり、かつ撮影された画像内でも明瞭に認識することのできるようになる。特に被写体情報の明瞭性に関しては、画像がデジタル映像である場合に一層顕著な効果が得られることに成る。
【００１９】
そして、かかる本発明の被写体情報表示部材が多用されることにより、部品や製品の品質管理、その他の記録に関する明瞭性や信頼性が高められることから、究極的には商取引においても、不正を正すことができるようになる。
【発明を実施するための最良の形態】
【００２０】
〔実施の形態１〕
図１は、本発明にかかる被写体情報表示部材10の実施態様を示す（Ａ）平面図、（Ｂ）正面図、（Ｃ）右側面図である。特に、この実施の形態に示す被写体情報表示部材10は、平面側に露出する撮影面Ｓに、大きさを示す符号を被写体情報11として表し、撮影対象物の大きさを示す（または対比する）定規として利用される被写体情報表示部材10の具体例を示している。即ち、この被写体情報表示部材10は、部品や製品などの被写体を撮影する際、１０ｍｍ間隔で設けられた目盛13を有する被写体情報表示部材10を一緒にその映像内に写し込むことにより、当該被写体情報表示部材10に示された情報（即ち目盛13）との対比により、被写体の大きさを正確に把握することができるものとなっている。
【００２１】
そして、この被写体情報表示部材10における、被写体情報11が表示された撮影面Ｓには、当該被写体に関する情報（即ち目盛13）の輪郭に沿って、当該目盛13を取り囲む輪郭溝12が形成されている（図２（a）（b））。被写体情報11の周りには、このような輪郭溝12が形成されていることから、撮影に際して使用されるフラッシュ光や自然光は当該輪郭溝12内に入り込み、撮影面Ｓにおける乱反射が阻止されることになる。その結果、撮影された映像面内においても当該被写体情報11を明確に認識することが可能になる。特に、デジタルカメラなどの様に、映像をデジタルデータとして保管する機器においては、映像をデジタル処理する過程において影などが不鮮明になることがあるが、本発明に係る被写体情報表示部材10では、当該輪郭溝12が存在することから、このようなデジタル処理過程を経ても、被写体情報11は画像内に鮮明に表現されることになる。
【００２２】
上記輪郭溝12は、望ましくは幅以上の深さを有するものとして形成される。即ち、撮影に際して使用されるフラッシュ光が溝12内に入り込むと、図３（Ａ）に模式的に示すように、当該フラッシュ光は溝12内の壁面や底面に反射して減衰され、撮影面Ｓ側に出てくることが阻止されることになるが、特に幅以上の深さを有する輪郭溝12とした場合には、図３（Ｂ）に示すように、輪郭溝12内に入り込んだフラッシュ光の、溝12内における壁面や底面での反射の回数が多くなり、より一層減衰されることから、撮影面Ｓにおける乱反射が更に減じられ、撮影された映像内において、被写体情報11を一層明瞭に認識することが可能になる。
【００２３】
かかる輪郭溝12の幅や深さに関しては、上記の様に幅以上の深さを有することが望ましいが、更に云えば、当該溝12の深さは溝12幅の２倍以上に形成されることが望ましい。
【００２４】
また当該溝12の幅や深さは、その大きさが画一的に定められるものではなく、製造する被写体情報表示部材10の大きさの関係において、或いは撮影される時の大きさ等において適宜選択されるものである。特に、本実施の形態に示すように、３００ｍｍの長さを有する定規で、各目盛13の間隔を１０ｍｍに形成した場合、当該溝12の幅は、望ましくは０．１〜２．０ｍｍ、特に望ましくは０．１〜１．０ｍｍで、深さは望ましくは０．２〜４．０ｍｍ、特に望ましくは０．２〜２．０ｍｍに形成される。
【００２５】
そして、この実施の形態に示す被写体情報表示部材10には、その製造を困難にして、模造品を識別する為の識別部分16が形成されている。具体的には、この実施の形態に係る被写体情報表示部材10は、型を用いてゴム（又はゴム成分を含有する樹脂）を成形してなるものであることから、細密な文字（例えば会社名など）、図形、記号などを出現させる様にして成形用の型の製造を困難にすることにより、その模造品の製造を可能な限り阻止することができる。そこで、この実施形態では、識別部分16として差密な構成を有する部分を設けて型の製造を困難にしている。即ち、このような識別部分16を設けることにより、模造品、より具体的には被写体の大きさをごまかす為の模造品であって、同一デザインで、縮尺違いのものの流出を阻止することができ、依って、この被写体情報表示部材10が示す情報についての信頼性を向上させることができる。
【００２６】
また、この実施の形態では、目盛13などの被写体情報11と、この情報を保持している基材15とが、共につや消し加工されていることから、撮影時におけるフラッシュ光などの乱反射を一層確実に阻止することができる。なお、このようなつや消し加工は、当該被写体情報11の部分のみ、或いは基材15部分のみに適用することもできる。
【００２７】
更に、この実施の形態に示す被写体情報表示部材10は、望ましくはその背面が磁性を有する様に形成される。例えば、磁石を貼付する他、成形に際して成形材料中に磁性粉を混入することもできる。少なくとも背面側が磁性を有するものである場合には、当該被写体情報表示部材10を鉛直方向に展開する金属面に設置することもでき、その結果自動車の車体やその他の金属製品に設置し、水平方向からの撮影を行うことも可能になる。
【００２８】
そして、上記被写体情報表示部材10では、その端部同士に現れる目盛13同士が、相互に対照形状であり、二つ以上を連接した場合に、他の目盛13と同じ形状を呈するように表されている。その結果、必要に応じて、複数の被写体情報表示部材10を連接し、大きな被写体に対しても使用し得るものとなっている。
〔実施の形態２〕
【００２９】
図４は、本発明に係る被写体情報表示部材20の他の実施の形態を示す、分解正面図である。
【００３０】
この図４に示す被写体情報表示部材20は、特に被写体に関する名称や、価格などを表示する為のプレートとして形成されており、当該プレートには、被写体情報21を構成する為の小片24を複数組み合わせて配置している。
【００３１】
そして、この小片24には、被写体に関する必要な情報を構成する文字又は数字などが示されており、更に当該小片24には、それぞれに表された文字又は数字の輪郭に沿う溝22（輪郭溝）が形成されている。
【００３２】
依って、この様に形成された複数の小片24を用いて所望の被写体情報21を構成し、当該プレートに設置すれば、デジタルカメラなどで撮影した場合であっても、その映像内において、明瞭に被写体情報21を認識できる被写体情報表示部材20となる。
【００３３】
この実施形態においても、輪郭溝22の構造や被写体情報21乃至は基材25のつや消し加工などに関しては、前記実施の形態１と同様に製造することができる。
【００３４】
なお、この様に形成されたプレートは、集合写真やその他の記念撮影に際して使用されるプレートとして使用することができる他、建築・工事現場などにおいて作業記録を残す為に使用される黒板に変えて使用することもできる。
【００３５】
ただし、各プレートの配列や、各プレートに表される文字などに関しては、各用途に応じて適宜選択されるべきである。
【実施例】
【００３６】
以下に示す実施例は、特に前記実施の形態１に示した被写体情報表示部材に基づいて、その使用方法や効果を明瞭にするものである。なお、以下に示す実施例における図面は、何れもデジタルカメラで撮影したものである。
【００３７】
即ち、前記実施の形態１に示した被写体情報表示部材は、図５に示す様に撮影対象物（被写体である部品）と共に画像内に納まる様に配置される。特にこの図５では、横方向に２つの被写体情報表示部材を連接し、且つ縦方向に別の被写体情報表示部材を配置して被写体（部品）の大きさを示している。
【００３８】
この図４は、特にデジタルカメラを用いて撮影したものであり、その映像からも明らかな様に、当該被写体情報表示部材から得られる被写体情報（目盛によって示される大きさ）は、輪郭溝の存在によって、当該デジタル画像内においても明瞭に現れている。
【００３９】
次に、図６に基づき、輪郭溝の有無による効果を示す。この図６Ａ、図６Ｂ、及び図６Ｃは、何れも黒色でつや消し加工が施された基材に対して、白色及び赤色の目盛を表示した定規を並べて撮影したものであるが、各図に示される夫々の定規同士においては、輪郭溝の有無において大きく相違するものである。即ち、図６Ａにおいては、図面に向かって左側に示される定規が輪郭溝を有し、図６Ｂ及び図６Ｃにおいては、図面に向かって下側に示される定規が輪郭溝を有している。各図を対比すれば明らかな様に、輪郭溝が存在する定規（被写体情報表示部材）においては、白色及び赤色の目盛の輪郭が明瞭に現れており、依って正確に被写体情報を取得することができるものとなっている。
【００４０】
そして図７は、従前において部品や製品の大きさを示す為に使用されていた定規と並べて撮影した画像であり、本発明に係る被写体情報表示部材は、一番下に現れている。この結果においても、他の定規においては、それによって示される目盛を一切判別できないにも拘わらず、本発明に係る被写体情報表示部材では、明瞭にその目盛を認識することができる。
【産業上の利用可能性】
【００４１】
本発明に係る被写体情報表示部材は、部品や製品あるいは様々な物品，又は景観を写真撮影し、その映像を記録として使用乃至保管することが行われている様々な用途において使用することができる。
【００４２】
そして、当該被写体情報表示部材が部品や製品の品質管理などを目的として使用されるものである場合には、更に識別部分を設けることで、当該被写体情報表示部材によって表される被写体に関する情報が真正であることをも示すことができ、よって適正な取引活動に寄与するものとして期待される。
【図面の簡単な説明】
【００４３】
【図１】被写体情報表示部材の実施形態を示す（Ａ）平面図、（Ｂ）正面図、（Ｃ）右側面図。
【図２】輪郭溝を拡大して示す（Ａ）正面図、（Ｂ）平面図。
【図３】輪郭溝におけるフラッシュ光の反射を示す略図。
【図４】被写体情報表示部材の他の実施の形態を示す分解正面図。
【図５】使用例を示す平面図。
【図６】輪郭溝の効果を示す対比図。
【図７】従来における定規との違いを示す対比図。
【符号の説明】
【００４４】
１０，２０    被写体情報表示部材
１１，２１    被写体情報
１２，２２    輪郭溝
１３          目盛
１５，２５    基材
２１          被写体情報
２４          小片
【図１】
2006227128.tif 000003
【図２】
2006227128.tif 000004
【図３】
2006227128.tif 000005
【図４】
2006227128.tif 000006
【図５】
2006227128.tif 000007
【図６】
2006227128.tif 000008
【図７】
2006227128.tif 000009